(57)【要約】【課題】一般の人に配電設備を積極的に撮像させる情報処理装置を提供する。【解決手段】撮像された設備画像と、被撮像設備位置情報を取得する設備位置情報取得部と、設備の位置を示す位置情報と当該位置に存在する当該設備の撮像に対する貢献度評価に用いられる情報として設備画像の撮像結果によらず予め付与される貢献度情報とが対応付けられた属性情報のうち、被撮像設備の属性情報を取得する属性情報取得部と、設備画像を撮像した撮像者を示す撮像者情報と、属性情報取得部が取得する属性情報に含まれる貢献度情報とに基づいて、撮像者に対して貢献の程度に応じた評価を貢献度評価として付与する評価付与部と、設備画像が示す被撮像設備の状態と、判定基準情報とに基づいて、被撮像設備の状態の良否を判定する良否判定部と、良否に基づいて、被撮像設備の修繕を指示する修繕指示情報を出力する修繕指示情報出力部と、を備える情報処理装置。【選択図】図１
2018142371.tif 000002
【特許請求の範囲】
【請求項１】
設備が撮像装置によって撮像された設備画像と、
複数の設備のうちの前記設備画像に撮像されている設備である被撮像設備の位置を示す被撮像設備位置情報を取得する設備位置情報取得部と、
設備の位置を示す位置情報と当該位置に存在する当該設備の撮像に対する貢献度評価に用いられる情報として前記設備画像の撮像結果によらず予め付与される貢献度情報とが対応付けられた属性情報が設備の位置ごとに記憶される属性情報記憶部から、前記設備位置情報取得部が取得する前記被撮像設備位置情報に基づいて、複数の設備についての前記属性情報のうち、前記被撮像設備の前記属性情報を取得する属性情報取得部と、
前記撮像装置によって前記設備画像を撮像した撮像者を示す撮像者情報を取得する撮像者情報取得部と、
前記撮像者情報取得部が取得する前記撮像者情報と、前記属性情報取得部が取得する前記属性情報に含まれる前記貢献度情報とに基づいて、前記撮像者に対して貢献の程度に応じた評価を貢献度評価として付与する評価付与部と、
前記設備画像が示す前記被撮像設備の状態と、設備の良否判定の基準を示す判定基準情報とに基づいて、前記被撮像設備の状態の良否を判定する良否判定部と、
前記良否判定部が判定した前記良否に基づいて、前記被撮像設備の修繕を指示する修繕指示情報を出力する修繕指示情報出力部と、
を備える情報処理装置。
【請求項２】
前記評価付与部は、
前記設備画像毎に前記評価を可変にして、前記貢献度評価を付与する
請求項１に記載の情報処理装置。
【請求項３】
前記評価付与部は、
設備の被撮像履歴に基づくことにより前記設備画像毎に前記評価を可変にして、前記貢献度評価を付与する
請求項２に記載の情報処理装置。
【請求項４】
設備には、撮像対象として撮像が指示された撮像対象設備が含まれ、
前記撮像対象設備の撮像を要求する撮像要求情報を出力する撮像要求情報出力部
を更に備える請求項１から請求項３のいずれか一項に記載の情報処理装置。
【請求項５】
前記撮像要求情報出力部は、
前記撮像対象設備の前記属性情報に含まれる前記撮像対象設備の位置を示す位置情報に基づく範囲に対して、前記撮像要求情報を出力する
請求項４に記載の情報処理装置。
【請求項６】
前記撮像要求情報出力部は、
複数の前記撮像装置のうち、前記撮像対象設備の位置から所定の距離範囲内にある前記撮像装置に対して、前記撮像要求情報を出力する
請求項５に記載の情報処理装置。
【請求項７】
前記撮像要求情報出力部は、
前記撮像対象設備を撮像する撮像者として選択された指定撮像者に対して、前記撮像要求情報を出力する
請求項４から請求項６のいずれか一項に記載の情報処理装置。
【請求項８】
前記撮像者には、付与された前記貢献度評価に応じた階級が設定され、
前記撮像要求情報には前記階級に応じた階級毎撮像要求情報が含まれ、
前記撮像要求情報出力部は、
前記階級に応じた前記階級毎撮像要求情報を出力する
請求項４から請求項７のいずれか一項に記載の情報処理装置。
【請求項９】
前記撮像要求情報出力部は、
前記設備のうち、前記属性情報に含まれる前記貢献度情報が示す撮像の貢献の程度が大きい前記設備を前記撮像対象設備として前記撮像要求情報を出力する
請求項４から請求項８のいずれか一項に記載の情報処理装置。
【請求項１０】
前記貢献度情報には、撮像による貢献の程度が前記設備の設置環境に応じて前記設備毎に定められている
請求項１から請求項９のいずれか一項に記載の情報処理装置。
【発明の詳細な説明】
【技術分野】
【０００１】
本発明は、情報処理装置に関する。
【背景技術】
【０００２】
従来、停電発生時に電気事業者に所属していない一般の人から配電設備を撮像した撮像画像を収集する停電現場情報システムが提案されている（例えば、特許文献１）。
【先行技術文献】
【特許文献】
【０００３】
【特許文献１】特開２００６−１３４１１９号公報
【発明の概要】
【発明が解決しようとする課題】
【０００４】
従来の停電現場情報システムでは、一般の人に配電設備を積極的に撮像させることが難しいという課題がある。
本発明は、上述の事情に鑑みてなされたものであり、一般の人に配電設備を積極的に撮像させる情報処理装置を提供することを目的とする。
【課題を解決するための手段】
【０００５】
本発明の一態様は、設備が撮像装置によって撮像された設備画像と、複数の設備のうちの前記設備画像に撮像されている設備である被撮像設備の位置を示す被撮像設備位置情報を取得する設備位置情報取得部と、設備の位置を示す位置情報と当該位置に存在する当該設備の撮像に対する貢献度評価に用いられる情報として前記設備画像の撮像結果によらず予め付与される貢献度情報とが対応付けられた属性情報が設備の位置ごとに記憶される属性情報記憶部から、前記設備位置情報取得部が取得する前記被撮像設備位置情報に基づいて、複数の設備についての前記属性情報のうち、前記被撮像設備の前記属性情報を取得する属性情報取得部と、前記撮像装置によって前記設備画像を撮像した撮像者を示す撮像者情報を取得する撮像者情報取得部と、前記撮像者情報取得部が取得する前記撮像者情報と、前記属性情報取得部が取得する前記属性情報に含まれる前記貢献度情報とに基づいて、前記撮像者に対して貢献の程度に応じた評価を貢献度評価として付与する評価付与部と、前記設備画像が示す前記被撮像設備の状態と、設備の良否判定の基準を示す判定基準情報とに基づいて、前記被撮像設備の状態の良否を判定する良否判定部と、前記良否判定部が判定した前記良否に基づいて、前記被撮像設備の修繕を指示する修繕指示情報を出力する修繕指示情報出力部と、を備える情報処理装置である。
【０００６】
また、本発明の一態様の情報処理装置において、前記評価付与部は、前記設備画像毎に前記評価を可変にして、前記貢献度評価を付与する。
【０００７】
また、本発明の一態様の情報処理装置において、前記評価付与部は、設備の被撮像履歴に基づくことにより前記設備画像毎に前記評価を可変にして、前記貢献度評価を付与する。
【０００８】
また、本発明の一態様の情報処理装置において、設備には、撮像対象として撮像が指示された撮像対象設備が含まれ、前記撮像対象設備の撮像を要求する撮像要求情報を出力する撮像要求情報出力部を更に備える。
【０００９】
また、本発明の一態様の情報処理装置において、前記撮像要求情報出力部は、前記撮像対象設備の前記属性情報に含まれる前記撮像対象設備の位置を示す位置情報に基づく範囲に対して、前記撮像要求情報を出力する。
【００１０】
また、本発明の一態様の情報処理装置において、前記撮像要求情報出力部は、複数の前記撮像装置のうち、前記撮像対象設備の位置から所定の距離範囲内にある前記撮像装置に対して、前記撮像要求情報を出力する。
【００１１】
また、本発明の一態様の情報処理装置において、前記撮像要求情報出力部は、前記撮像対象設備を撮像する撮像者として選択された指定撮像者に対して、前記撮像要求情報を出力する。
【００１２】
また、本発明の一態様の情報処理装置において、前記撮像者には、付与された前記貢献度評価に応じた階級が設定され、前記撮像要求情報には前記階級に応じた階級毎撮像要求情報が含まれ、前記撮像要求情報出力部は、前記階級に応じた前記階級毎撮像要求情報を出力する。
【００１３】
また、本発明の一態様の情報処理装置において、前記撮像要求情報出力部は、前記設備のうち、前記属性情報に含まれる前記貢献度情報が示す撮像の貢献の程度が大きい前記設備を前記撮像対象設備として前記撮像要求情報を出力する。
【００１４】
また、本発明の一態様の情報処理装置において、前記貢献度情報には、撮像による貢献の程度が前記設備の設置環境に応じて前記設備毎に定められている。
【発明の効果】
【００１５】
本発明によれば、一般の人に配電設備を積極的に撮像させる情報処理装置を提供することができる。
【図面の簡単な説明】
【００１６】
【図１】第１の実施形態に係る情報処理装置の外観構成の一例を示す図である。
【図２】設備画像の一例を示す図である。
【図３】第１の実施形態に係る情報処理装置の機能構成の一例を示す図である。
【図４】判定情報の一例を示す図である。
【図５】第１の実施形態に係る情報処理装置の動作の一例を示す流れ図である。
【図６】属性情報の一例を示す図である。
【図７】撮像者情報と、累計評価との一例を示す図である。
【図８】第２の実施形態に係る情報処理装置の構成の一例を示す図である。
【図９】第２の実施形態に係る情報処理装置の動作の一例を示す流れ図である。
【図１０】階級の一例を示す図である。
【発明を実施するための形態】
【００１７】
［第１の実施形態］
［情報処理装置１の外観構成］
以下、図面を参照して、本発明に係る情報処理装置の第１の実施形態について説明する。なお、この実施形態に記載されている構成部品の個数等は、特定的な記載がない限り本発明の範囲をこれに限定する趣旨ではなく、単なる説明例にすぎない。
図１を参照して、本発明の第１の実施形態に係る情報処理装置１の外観構成ついて説明する。
図１は、第１の実施形態に係る情報処理装置１の外観構成の一例を示す図である。
【００１８】
情報処理装置１及び修繕支援装置３は、電気事業者の社屋Ｅに備えられる。電気事業者とは、電力の供給を受ける需要家に電力を供給する一般送配電事業者及び小売電気事業者等である。
電気事業者は、設備ＦＡを管理する。設備ＦＡとは、電力を送配電する設備のことである。設備ＦＡは、電気事業者によって保守される。電気事業者は、設備ＦＡに異常Ａが生じると、異常Ａが生じた設備ＦＡを修繕する。以下の説明において、設備ＦＡとは、電柱のことである。なお、設備ＦＡは、電柱に限られず、電気事業者によって管理される設備であればよい。この一例では、設備ＦＡには、設備ＦＡ１と、設備ＦＡ２と、設備ＦＡ３とが含まれる。設備ＦＡ１には、異常Ａ１が生じている。異常Ａ１とは、設備ＦＡ１から煙が生じている状態である。設備ＦＡ２には、異常Ａ２が生じている。異常Ａ２とは、設備ＦＡ２が備える配電線が切れている状態である。設備ＦＡ３には、異常Ａ３が生じている。異常Ａ３とは、設備ＦＡ３にひびなどの亀裂が生じている状態である。
撮像装置２は、撮像部２０１と、出力部２０２とを備える。撮像部２０１は、設備ＦＡが写り込むように撮像画像を、設備画像として撮像する。設備画像とは、設備ＦＡが写り込んだ画像である。撮像部２０１は、設備画像を撮像する際に撮像者に予め割り振られた、撮像者情報を、設備画像に付与する。撮像者情報とは、設備画像を撮像した撮像者を示す情報である。
【００１９】
出力部２０２は、撮像部２０１が撮像した設備画像と、設備画像を撮像した撮像者を示す撮像者情報とを、情報処理装置１に対して出力する。以下の説明において、撮像装置２とは、スマートフォンである。
情報処理装置１は、撮像装置２から出力される設備画像と、撮像者情報とを取得する。情報処理装置１は、撮像装置２から取得した設備画像に基づいて、設備画像に写り込んだ設備の状態の良否を判定する。情報処理装置１は、設備画像に写り込んだ設備の状態が不良であると判断した場合には、撮像画像に写り込んだ設備の修繕を指示する修繕指示情報を修繕支援装置３に対して出力する。
修繕支援装置３とは、情報処理装置１から出力される修繕指示情報を取得する装置である。修繕支援装置３は、情報処理装置１から修繕指示情報を取得すると、設備画像に写り込んだ設備の修繕の計画を立てる。
【００２０】
［設備画像Ｇについて］
ここで、図２を参照して、撮像装置２が撮像する設備画像Ｇについて説明する。
図２は、設備画像Ｇの一例を示す図である。
以下の説明において、撮像装置２が撮像する設備画像Ｇに写り込む設備ＦＡを、被撮像設備ＳＦＡとも記載する。被撮像設備ＳＦＡとは、複数の設備ＦＡのうちの設備画像Ｇに撮像されている設備である。設備ＦＡは、番号表示板ＮＰを備える。番号表示板ＮＰとは、設備ＦＡを特定する情報である。具体的には、番号表示板ＮＰとは、設備画像Ｇに写り込んだ被撮像設備ＳＦＡが電柱の場合には、電柱の番号が記された電柱番号である。
また、撮像装置２は、撮像した設備画像Ｇに対して設備画像情報ＧＩを付与する。設備画像情報ＧＩとは、設備ＦＡを撮像した撮像装置２が設備画像Ｇに付与する情報である。
設備画像情報ＧＩには、撮像位置情報ＧＰと、撮像者情報ＩＤとが含まれる。
撮像位置情報ＧＰとは、撮像装置２が設備画像Ｇを撮像した位置を示す情報である。具体的には、撮像位置情報ＧＰとは、撮像装置２が備えるＧＰＳ（Ｇｌｏｂａｌ  Ｐｏｓｉｔｉｏｎｉｎｇ  Ｓｙｓｔｅｍ）（不図示）が測定した緯度及び経度の位置情報を示す情報である。
【００２１】
撮像装置２は、図１に示す撮像範囲ＳＡ１、撮像範囲ＳＡ２及び撮像範囲ＳＡ３に示す範囲を撮像する。
図２（ａ）は、撮像範囲ＳＡ１を撮像した設備画像Ｇ１である。設備画像Ｇ１には、被撮像設備ＳＦＡ１と、番号表示板ＮＰ１とが撮像される。また、設備画像Ｇ１には、設備画像情報ＧＩ１が含まれる。設備画像情報ＧＩ１には、撮像位置情報ＧＰとしての”ＰＯＳ＿Ａ”と、撮像者情報ＩＤとしての”ＩＤ＿１”とが含まれる。
図２（ｂ）は、撮像範囲ＳＡ２を撮像した設備画像Ｇ２である。設備画像Ｇ２には、被撮像設備ＳＦＡ２と、番号表示板ＮＰ２とが撮像される。また、設備画像Ｇ２には、設備画像情報ＧＩ２が含まれる。設備画像情報ＧＩ２には、撮像位置情報ＧＰとしての”ＰＯＳ＿Ｃ”と、撮像者情報ＩＤとしての”ＩＤ＿２”とが含まれる。
図２（ｃ）は、撮像範囲ＳＡ３を撮像した設備画像Ｇ３である。設備画像Ｇ３には、被撮像設備ＳＦＡ３と、番号表示板ＮＰ３とが撮像される。設備画像Ｇ３には、設備画像情報ＧＩ３が含まれる。設備画像情報ＧＩ３には、撮像位置情報ＧＰとしての”ＰＯＳ＿Ｂ”と、撮像者情報ＩＤとしての”ＩＤ＿３”とが含まれる。
【００２２】
［情報処理装置１の機能構成］
次に、図３を参照して、第１の実施形態に係る情報処理装置１の機能構成の一例について説明する。
【００２３】
図３は、第１の実施形態に係る情報処理装置１の機能構成の一例を示す図である。
情報処理装置１は、撮像画像取得部１６と、設備位置情報取得部１０と、属性情報記憶部１２と、属性情報取得部１１と、撮像者情報取得部１３と、撮像者情報記憶部１５と、評価付与部１４と、判定基準記憶部１８と、良否判定部１７と、修繕指示情報出力部１９とを備える。
【００２４】
撮像画像取得部１６は、撮像装置２から出力される設備画像Ｇを取得する。撮像画像取得部１６は、撮像装置２から取得した設備画像Ｇを、設備位置情報取得部１０と、撮像者情報取得部１３と、良否判定部１７とに対して出力する。
設備位置情報取得部１０は、撮像画像取得部１６から設備画像Ｇを取得する。設備位置情報取得部１０は、撮像画像取得部１６から取得した設備画像Ｇに撮像されている設備である被撮像設備ＳＦＡの位置を示す被撮像設備位置情報ＳＦＰを取得する。具体的には、設備位置情報取得部１０は、設備画像Ｇに撮像されている被撮像設備ＳＦＡが備える番号表示板ＮＰを、設備画像Ｇを解析することにより被撮像設備位置情報ＳＦＰを取得する。
設備位置情報取得部１０は、取得した被撮像設備位置情報ＳＦＰを、属性情報取得部１１に対して出力する。
【００２５】
設備位置情報取得部１０は、設備画像Ｇに番号表示板ＮＰが含まれていない場合には、被撮像設備位置情報ＳＦＰの代わりに、設備画像Ｇが撮像された位置を示す撮像位置情報ＧＰを、属性情報取得部１１に対して出力してもよい。
【００２６】
属性情報記憶部１２には、設備ＦＡの位置を示す位置情報ＦＡＰと当該設備ＦＡの撮像に対する貢献度評価に用いられる貢献度情報ＥＶとが互いに対応付けられた属性情報ＰＩが、設備ＦＡごとに記憶される。
【００２７】
属性情報取得部１１は、設備位置情報取得部１０が取得する被撮像設備位置情報ＳＦＰに基づいて、被撮像設備属性情報ＳＰＩを取得する。又は、属性情報取得部１１は、設備位置情報取得部１０が取得する撮像位置情報ＧＰに基づいて、被撮像設備属性情報ＳＰＩを取得する。被撮像設備属性情報ＳＰＩとは、属性情報記憶部１２に記憶される複数の設備ＦＡについての属性情報ＰＩのうち、被撮像設備ＳＦＡの属性情報である。具体的には、属性情報取得部１１は、属性情報記憶部１２に記憶される属性情報ＰＩから、被撮像設備位置情報ＳＦＰと対応する設備ＦＡの属性情報ＰＩを、被撮像設備属性情報ＳＰＩとして取得する。属性情報ＰＩの詳細については、後述する。
属性情報取得部１１は、属性情報記憶部１２から取得した属性情報ＳＰＩを、評価付与部１４及び修繕指示情報出力部１９に対して出力する。
【００２８】
撮像者情報取得部１３は、撮像装置２によって設備画像ＦＡを撮像した撮像者を示す撮像者情報ＩＤを取得する。具体的には、撮像者情報取得部１３は、撮像画像取得部１６から設備画像Ｇを取得する。撮像者情報取得部１３は、撮像画像取得部１６から取得した設備画像Ｇに含まれる設備画像情報ＧＩから撮像者情報ＩＤを取得する。
撮像者情報取得部１３は、撮像者情報ＩＤを評価付与部１４に対して出力する。
【００２９】
撮像者情報記憶部１５には、撮像者情報ＩＤと、累計評価Ｖとが互いに対応付けられて記憶される。累計評価Ｖとは、撮像者に対して付与された貢献度評価を累積したものである。貢献度評価とは、撮像者が撮像した被撮像設備ＳＦＡの属性情報ＳＰＩに含まれる貢献度情報ＥＶに基づく、貢献の程度に応じた評価である。貢献の程度は、例えば、電気事業者が点検困難な場所などに設置された被撮像設備ＳＦＡが撮像される場合には、貢献の程度は大きく設定される。貢献の程度は、多くの人に撮像される被撮像設備ＳＦＡの場合には、貢献の程度は小さく設定される。貢献の程度は、被撮像設備ＳＦＡが台風などの過酷な気象条件に置かれた場合や修繕指示出力が行われた場合などには、貢献の程度は大きく設定される。
【００３０】
評価付与部１４は、撮像者情報取得部１３から撮像者情報ＩＤを取得する。評価付与部１４は、属性情報取得部１１から属性情報ＳＰＩを取得する。評価付与部１４は、良否判定部１７から被撮像設備ＳＦＡの状態の良否ＹＮを取得する。評価付与部１４は、撮像者情報取得部１３から取得する撮像者情報ＩＤと、属性情報取得部１１から取得する被撮像設備属性情報ＳＰＩに含まれる貢献度情報ＥＶと、良否判定部１７が判定する被撮像設備ＳＦＡの状態の良否ＹＮとに基づいて、撮像者に対して貢献の程度に応じた評価を貢献度評価として付与する。具体的には、評価付与部１４は、良否判定部１７が被撮像設備ＳＦＡの状態の良否が否と判定する場合には、被撮像設備属性情報ＳＰＩに含まれる貢献度情報ＥＶを、撮像者情報記憶部１５に記憶される撮像者情報ＩＤと対応付けられた累計評価Ｖに累積する。
【００３１】
判定基準記憶部１８には、設備ＦＡの良否判定の基準を示す判定情報ＢＩが記憶される。ここで、図４を参照して、判定情報ＢＩについて説明する。判定情報ＢＩとは、図４に示すように、設備種別ＦＴと、判定基準情報ＴＧと、良否情報Ｊとが互いに対応付けられた情報である。設備種別ＦＴとは、判定基準情報ＴＧに含まれる設備ＦＡの種類の情報である。この一例では、判定基準情報ＴＧとは、設備ＦＡが撮像された画像情報である。判定基準情報ＴＧには、設備ＦＡの正常な状態の画像情報と、異常Ａの種類ごとの複数の画像情報とが含まれる。なお、判定基準情報ＴＧは画像情報に限られず、被撮像設備ＳＦＡの良否を判定できる情報であればよい。良否情報Ｊとは、判定基準情報ＴＧに撮像された設備ＦＡの状態が良好な状態か否かを示す情報である。
図４は、判定情報ＢＩの一例を示す図である。
【００３２】
この一例では、判定情報ＢＩには、判定情報ＢＩ１と、判定情報ＢＩ２と、判定情報ＢＩ３とが含まれる。
判定情報ＢＩ１には、設備種別ＦＴとしての”電柱”と、判定基準情報ＴＧとして判定基準情報ＴＧ１と、良否情報Ｊとしての”良”とが互いに対応付けられている。
判定情報ＢＩ２には、設備種別ＦＴとしての”電柱”と、判定基準情報ＴＧとして判定基準情報ＴＧ２と、良否情報Ｊとしての”否”とが互いに対応付けられている。判定基準情報ＴＧ２には、異常Ａ４が生じた設備ＦＡが撮像されている。
判定情報ＢＩ３には、設備種別ＦＴとしての”電柱”と、判定基準情報ＴＧとして判定基準情報ＴＧ３と、良否情報Ｊとしての”否”とが互いに対応付けられている。判定基準情報ＴＧ３には、異常Ａ５が生じた設備ＦＡが撮像されている。
【００３３】
図３に戻り、良否判定部１７は、撮像画像取得部１６が取得する設備画像Ｇが示す被撮像設備ＳＦＡの状態と、設備ＦＡの良否判定の基準を示す判定情報ＢＩとに基づいて、被撮像設備ＳＦＡの状態の良否を判定する。良否判定部１７は判定した良否を、良否判定情報として、修繕指示情報出力部１９及び評価付与部１４に対して出力する。良否判定情報とは、被撮像設備ＳＦＡが、修繕が必要な状態か否かを示す情報である。具体的には、良否判定部１７は、設備画像Ｇと判定基準記憶部１８に記憶される判定基準情報ＴＧとを比較する。良否判定部１７は、設備画像Ｇと対応する判定基準情報ＴＧを抽出する。良否判定部１７は、抽出された判定基準情報ＴＧと対応付けられた良否情報Ｊを、良否判定情報として、修繕指示情報出力部１９及び評価付与部１４に対して出力する。以下の説明では、良否判定情報を、被撮像設備ＳＦＡの状態の良否ＹＮとも記載する。
【００３４】
修繕指示情報出力部１９は、良否判定部１７が出力する良否判定情報を取得する。修繕指示情報出力部１９は、属性情報取得部１１から被撮像設備属性情報ＳＰＩを取得する。修繕指示情報出力部１９は、良否判定部１７が判定した良否判定情報に基づいて、被撮像設備ＳＦＡの修繕を指示する修繕指示情報ＲＩを出力する。修繕指示情報ＲＩには、被撮像設備ＳＦＡの位置を示す情報が含まれる被撮像設備属性情報ＳＰＩと、被撮像設備ＳＦＡの異常Ａの種類の情報とが含まれる。
【００３５】
修繕支援装置３は、修繕指示情報出力部１９から修繕指示情報ＲＩを取得する。修繕支援装置３は、修繕指示情報出力部１９から取得した修繕指示情報ＲＩに基づいて、被撮像設備ＳＦＡを修繕する計画を立てる。
【００３６】
［情報処理装置１の動作の概要］
次に、図５を参照して、第１の実施形態に係る情報処理装置１の動作の概要について説明する。
図５は、第１の実施形態に係る情報処理装置１の動作の一例を示す流れ図Ｓ１である。
【００３７】
撮像画像取得部１６は、撮像装置２から設備画像Ｇを取得する（ステップＳ１１０）。撮像画像取得部１６は撮像装置２から取得した設備画像Ｇを、設備位置情報取得部１０と、撮像者情報取得部１３と、良否判定部１７とに対して出力する。設備位置情報取得部１０は、撮像画像取得部１６から設備画像Ｇを取得する。設備位置情報取得部１０は、撮像画像取得部１６から取得した設備画像Ｇを解析する。設備位置情報取得部１０は、設備画像Ｇに含まれる番号表示板ＮＰから、被撮像設備位置情報ＳＦＰを取得する。又は、設備位置情報取得部１０は、設備画像Ｇに含まれる撮像位置情報ＧＰを取得する。（ステップＳ１２０）。属性情報取得部１１は、設備位置情報取得部１０が取得する被撮像設備位置情報ＳＦＰに基づいて、属性情報記憶部１２に記憶される属性情報ＰＩから被撮像設備属性情報ＳＰＩを取得する。又は、属性情報取得部１１は、設備位置情報取得部１０が取得する撮像位置情報ＧＰに基づいて、属性情報記憶部１２に記憶される属性情報ＰＩから被撮像設備属性情報ＳＰＩを取得する（ステップＳ１３０）。属性情報取得部１１は、評価付与部１４及び修繕指示情報出力部１９に対して、被撮像設備属性情報ＳＰＩを出力する。撮像者情報取得部１３は、撮像画像取得部１６から設備画像Ｇを取得する。撮像者情報取得部１３は、撮像画像取得部１６から取得した設備画像Ｇに含まれる撮像者情報ＩＤを取得する。撮像者情報取得部１３は、取得した撮像者情報ＩＤを、評価付与部１４に対して出力する。評価付与部１４は、撮像者情報取得部１３から撮像者情報ＩＤを取得する。評価付与部１４は、属性情報取得部１１から被撮像設備属性情報ＳＰＩを取得する。評価付与部１４は、撮像者情報取得部１３から取得した撮像者情報ＩＤと対応する累計評価Ｖを、撮像者情報記憶部１５から取得する。評価付与部１４は、取得した累計評価Ｖに、取得した被撮像設備属性情報ＳＰＩに含まれる貢献度情報ＥＶを加算する。評価付与部１４は、貢献度情報ＥＶが加算された累計評価Ｖを、撮像者情報記憶部１５の、取得した撮像者情報ＩＤと対応させて記憶させる（ステップＳ１４０）。良否判定部１７は、撮像画像取得部１６から設備画像Ｇを取得する。良否判定部１７は、撮像画像取得部１６から取得した設備画像Ｇと、判定基準記憶部１８に記憶される判定基準情報ＴＧのそれぞれとを比較することにより、複数の判定基準情報ＴＧの中から設備画像Ｇと対応する判定基準情報ＴＧを抽出する。良否判定部１７は、設備画像Ｇと対応する判定基準情報ＴＧに対応付けられている良否情報Ｊを、設備画像Ｇに撮像された被撮像設備ＳＦＡの状態の良否ＹＮの判定の結果とする（ステップＳ１５０）。良否判定部１７は、判定した良否ＹＮを修繕指示情報出力部１９及び評価付与部１４に対して出力する。修繕指示情報出力部１９は、良否判定部１７から良否ＹＮを取得する。修繕指示情報出力部１９は、取得した良否ＹＮが”良”か”否”かを判定する（ステップＳ１６０）。修繕指示情報出力部１９は、良否ＹＮが”良”の場合（ステップＳ１６０；ＹＥＳ）、何も行わない。修繕指示情報出力部１９は、良否ＹＮが”否”の場合（ステップＳ１６０；ＮＯ）、属性情報取得部１１から被撮像設備属性情報ＳＰＩを取得する。修繕指示情報出力部１９は、修繕指示情報ＲＩを出力する（ステップＳ１７０）。情報処理装置１は、処理を終了する。なお、情報処理装置１は、ステップＳ１２０からステップＳ１４０までの処理と、ステップＳ１５０からステップＳ１７０までの処理とについて、いずれの処理を先に行ってもよい。
【００３８】
［第１の実施形態に係る情報処理装置１の動作の具体例］
次に、第１の実施形態に係る情報処理装置１の動作の具体例について説明する。
撮像画像取得部１６は、図２（ａ）に示す設備画像Ｇ１を取得する。撮像画像取得部１６は、取得した設備画像Ｇ１を設備位置情報取得部１０と、撮像者情報取得部１３と、良否判定部１７とに出力する。設備位置情報取得部１０は、撮像画像取得部１６から設備画像Ｇ１を取得する。設備位置情報取得部１０は、設備画像Ｇ１を解析する。設備位置情報取得部１０は、設備画像Ｇ１を解析し、”Ａ１”を被撮像設備位置情報ＳＦＰとして取得する。設備位置情報取得部１０は、取得した位置情報被撮像設備位置情報ＳＦＰである”Ａ１”を、属性情報取得部１１に対して出力する。
属性情報取得部１１は、設備位置情報取得部１０から被撮像設備位置情報ＳＦＰとしての”Ａ１”を取得する。属性情報取得部１１は、属性情報記憶部１２から、複数の属性情報ＰＩの中から、被撮像設備位置情報ＳＦＰと対応する位置情報ＦＡＰを持つ被撮像設備属性情報ＳＰＩを取得する。ここで、属性情報ＰＩの一例を、図６を参照して説明する。
図６は、属性情報ＰＩの一例を示す図である。
【００３９】
属性情報ＰＩとは、設備ＦＡの名称を示す設備名ＦＮと、設備ＦＡの位置を示す位置情報ＦＡＰと、設備ＦＡの設置場所の情報と、設備ＦＡの撮像に対する貢献度評価に用いられる貢献度情報ＥＶとが、互いに関連付けられた情報である。属性情報ＰＩに含まれる設置場所の情報とは、この一例では、ＧＰＳから取得される緯度及び経度を示す位置情報などの、設備ＦＡの設置場所を示す情報である。なお、設置場所の情報は、緯度及び経度を示す位置情報に限られず、設置場所の住所や、他の基準となる設備ＦＡとの相対位置を示す情報であってもよい。
この一例では、属性情報ＰＩには、属性情報ＰＩ１と、属性情報ＰＩ２と、属性情報ＰＩ３と、属性情報ＰＩ４と、属性情報ＰＩ５とが含まれる。
【００４０】
属性情報ＰＩ１とは、設備名ＦＮ１としての”電柱１”と、位置情報ＦＡＰ１としての”Ａ１”と、設置場所としての”ＰＯＳ＿Ａ”と、貢献度情報ＥＶ１としての”２０”とが互いに対応付けられている情報である。属性情報ＰＩ２とは、設備名ＦＮ２としての”電柱２”と、位置情報ＦＡＰ２としての”Ａ２”と、設置場所としての”ＰＯＳ＿Ｅ”と、貢献度情報ＥＶ２としての”２０”とが互いに対応付けられている情報である。属性情報ＰＩ３とは、設備名ＦＮ１としての”電柱３”と、位置情報ＦＡＰ３としての”Ｃ３”と、設置場所としての”ＰＯＳ＿Ｂ”と、貢献度情報ＥＶ３としての”１００”とが互いに対応付けられている情報である。属性情報ＰＩ４とは、設備名ＦＮ４としての”電柱４”と、位置情報ＦＡＰ４としての”Ｂ４”と、設置場所としての”ＰＯＳ＿Ｃ”と、貢献度情報ＥＶ４としての”８０”とが互いに対応付けられている情報である。属性情報ＰＩ５とは、設備名ＦＮ５としての”電柱５”と、位置情報ＦＡＰ５としての”Ｃ５”と、設置場所としての”ＰＯＳ＿Ｄ”と、貢献度情報ＥＶ５としての”１００”とが互いに対応付けられている情報である。
【００４１】
この一例では、設備位置情報取得部１０は、”Ａ１”を被撮像設備位置情報ＳＦＰとして取得している。属性情報取得部１１は、属性情報ＰＩ１から属性情報ＰＩ４までの中から、被撮像設備位置情報ＳＦＰが示す”Ａ１”と一致する位置情報ＦＡＰを持つ属性情報ＰＩ１を、被撮像設備属性情報ＳＰＩとして取得する。属性情報取得部１１は、取得した被撮像設備属性情報ＳＰＩを、評価付与部１４に対して出力する。
なお、設備位置情報取得部１０は、設備画像Ｇに番号表示板ＮＰが撮像されておらず、被撮像設備位置情報ＳＦＰが取得できない場合には、設備位置情報取得部１０は、設備画像Ｇが撮像された位置を示す撮像位置情報ＧＰを属性情報取得部１１に対して出力している。この場合には、属性情報取得部１１は、設備位置情報取得部１０から取得した撮像位置情報ＧＰに基づいて、属性情報ＰＩ１から属性情報ＰＩ４までの中から、撮像位置情報ＧＰと一致する、又は、撮像位置情報ＧＰが示す位置と近似する撮像位置情報ＧＰを持つ属性情報ＰＩを、被撮像設備属性情報ＳＰＩとして取得する。
【００４２】
撮像者情報取得部１３は、撮像画像取得部１６から設備画像Ｇ１を取得する。撮像者情報取得部１３は、取得した設備画像Ｇ１に含まれる撮像者情報ＩＤを出力する。この一例では、設備画像Ｇ１には、図２（ｂ）に示すように、撮像者情報ＩＤとしての”ＩＤ＿２”が含まれている。
評価付与部１４は、撮像者情報取得部１３から撮像者情報ＩＤとしての”ＩＤ＿２”を取得する。評価付与部１４は、属性情報取得部１１から、被撮像設備属性情報ＳＰＩを取得する。評価付与部１４は、撮像者情報記憶部１５から、撮像者情報ＩＤと対応する累計評価Ｖを取得する。撮像者情報記憶部１５には、図７に示す情報が記憶される。
図７は、撮像者情報ＩＤと、累計評価Ｖとの一例を示す図である。
【００４３】
図７に示すように、この一例では、撮像者情報記憶部１５には、撮像者情報ＩＤとしての”ＩＤ＿１”と、累計評価Ｖとしての”１０００”とが対応付けられて記憶される。撮像者情報記憶部１５には、撮像者情報ＩＤとしての”ＩＤ＿２”と、累計評価Ｖとしての”４０”とが対応付けられて記憶される。撮像者情報記憶部１５には、撮像者情報ＩＤとしての”ＩＤ＿３”と、累計評価Ｖとしての”１００”とが対応付けられて記憶される。撮像者情報記憶部１５には、撮像者情報ＩＤとしての”ＩＤ＿４”と、累計評価Ｖとしての”７００”とが対応付けられて記憶される。撮像者情報記憶部１５には、撮像者情報ＩＤとしての”ＩＤ＿５”と、累計評価Ｖとしての”４００”とが対応付けられて記憶される。
【００４４】
評価付与部１４は、撮像者情報記憶部１５から”ＩＤ＿２”と対応する累計評価Ｖである”４０”を取得する。評価付与部１４は、被撮像設備属性情報ＳＰＩ（この一例では、属性情報ＰＩ１）に含まれる、貢献度情報ＥＶである”２０”を取得する。評価付与部１４は、撮像者情報記憶部１５から取得した累計評価Ｖである”４０”と、被撮像設備属性情報ＳＰＩに含まれる貢献度情報ＥＶである”２０”とを加算する。評価付与部１４は、加算した結果の”６０”を、撮像者情報記憶部１５に、撮像者情報ＩＤ”ＩＤ＿２”と対応する累計評価Ｖとして記憶させる。
【００４５】
良否判定部１７は、撮像画像取得部１６から設備画像Ｇ１を取得する。良否判定部１７は、取得した設備画像Ｇ１と、判定基準記憶部１８に記憶される判定基準情報ＴＧとを比較する。上述したように、判定基準情報ＴＧには、設備ＦＡの正常な状態の画像情報と、異常Ａの種類ごとの複数の画像情報とが含まれる。良否判定部１７は、設備画像Ｇ１と類似する画像を、判定基準情報ＴＧに含まれる画像情報から検索する。良否判定部１７が類似する画像を検索する処理は、どの様な手段を用いてもよい。例えば、公知の処理を用いてもよい。
また、良否判定部１７は、判定基準情報ＴＧに含まれる画像情報から設備画像Ｇ１と類似する画像が検索できない場合には、”否”を出力してもよい。これにより、良否判定部１７は、既存の判定基準情報ＴＧに含まれない異常も検出することができ、安全に運用できる。
この一例では、良否判定部１７は、設備画像Ｇ１と、判定基準情報ＴＧ２とが同一の異常であると判断する。良否判定部１７は、判定基準情報ＴＧ２と対応付けられた良否情報Ｊである”否”を、良否ＹＮとして判定する。良否判定部１７は、”否”を出力する。
上述したように、修繕指示情報出力部１９は、取得した情報が”否”である場合には、修繕指示情報ＲＩを修繕支援装置３に対して出力する。この一例の場合には、修繕指示情報出力部１９は、良否判定部１７から取得した良否情報Ｊが”否”であるので、修繕指示情報ＲＩを修繕支援装置３に対して出力する。
【００４６】
以上説明したように、情報処理装置１は、撮像画像取得部１６と、設備位置情報取得部１０と、属性情報取得部１１と属性情報記憶部１２を備える。撮像画像取得部１６は、撮像装置２から設備ＦＡを撮像した設備画像Ｇを取得する。設備位置情報取得部１０は、設備画像Ｇに撮像された設備ＦＡの被撮像設備位置情報ＳＦＰを取得する。属性情報取得部１１は、属性情報記憶部１２から被撮像設備位置情報ＳＦＰと対応する属性情報ＰＩを、被撮像設備属性情報ＳＰＩとして取得する。これにより、情報処理装置１は、設備画像Ｇに撮像された設備ＦＡである被撮像設備ＳＦＡの被撮像設備属性情報ＳＰＩを取得することができる。
【００４７】
また、情報処理装置１は、撮像者情報取得部１３と、評価付与部１４と、撮像者情報記憶部１５とを備える。撮像者情報取得部１３は、設備画像Ｇを撮像した撮像者を示す撮像者情報ＩＤを取得する。評価付与部１４は、属性情報取得部１１が取得した被撮像設備属性情報ＳＰＩを取得する。評価付与部１４は、取得した被撮像設備属性情報ＳＰＩと、撮像者情報ＩＤとに基づいて、貢献度情報ＥＶを撮像者に対して付与する。貢献度情報ＥＶは、撮像者情報記憶部１５に、累計評価Ｖとして累積して記憶される。これにより、情報処理装置１は、設備画像Ｇを撮像した撮像者に対して、貢献度情報ＥＶに応じた評価をすることができる。情報処理装置１は、撮像装置２が備える表示部（不図示）などに、貢献度情報ＥＶや、累計評価Ｖを表示させることで、撮像者の撮像意欲を高めることができる。
【００４８】
また、情報処理装置１は、良否判定部１７と、判定基準記憶部１８と、修繕指示情報出力部１９とを備える。良否判定部１７は、設備画像Ｇに含まれる被撮像設備ＳＦＡの状態と、判定基準記憶部１８に記憶される判定情報ＢＩとに基づいて、被撮像設備ＳＦＡの状態の良否ＹＮを判定する。修繕指示情報出力部１９は、良否判定部１７が判定する良否ＹＮに基づいて、修繕指示情報ＲＩを出力する。すなわち、情報処理装置１は、設備画像Ｇの画像から、被撮像設備ＳＦＡを修繕すべきか否かを判定することができる。また、情報処理装置１は、良否判定部１７が判定した結果に基づいて、修繕指示情報ＲＩを出力する。修繕指示情報出力部１９は、設備画像Ｇに含まれる異常Ａの状態に応じた修繕指示情報ＲＩを出力することができる。この修繕指示情報ＲＩに基づけば、修繕に必要な機材や、人員の数などの判断を行うことができる。
【００４９】
上述した一例では、評価付与部１４は、属性情報取得部１１から取得する被撮像設備属性情報ＳＰＩに含まれる貢献度情報ＥＶと、良否判定部１７が判定する被撮像設備ＳＦＡの状態の良否ＹＮとに基づいて、撮像者に対して貢献の程度に応じた評価を貢献度評価として付与する構成について説明した。しかし、実際には、被撮像設備属性情報ＳＰＩに貢献度情報ＥＶが設定されていない場合がある。具体的には、設備の不良を電気事業者が把握するよりも前に、一般の人が発見した場合などである。この場合には、評価付与部１４は、良否判定部１７の判定結果に基づいて貢献度情報ＥＶを撮像者に対して付与してもよい。この場合には、判定基準記憶部１８には、設備ＦＡの良否判定の基準を示す判定情報ＢＩのそれぞれに、貢献度情報ＥＶが対応付けられて記憶される。良否判定部１７は、設備画像Ｇと対応する判定基準情報ＴＧを抽出し、抽出された判定基準情報ＴＧと対応付けられた貢献度情報ＥＶを、評価付与部１４に対して、更に出力する。つまり、良否判定部１７は、評価付与部１４に対して、被撮像設備ＳＦＡの状態の良否ＹＮと共に貢献度情報ＥＶを出力する。
評価付与部１４は、良否判定部１７が判定する被撮像設備ＳＦＡの状態の良否ＹＮと、判定基準記憶部１８に基づいて、撮像者に対して貢献の程度に応じた評価を貢献度評価として付与する。この場合には、上述したステップＳ１４０に含まれる貢献度情報ＥＶを加算する処理を、ステップＳ１６０；ＮＯよりも後に処理する。
【００５０】
［第２の実施形態］
次に、図８を参照して、第２の実施形態に係る情報処理装置１ａの構成の一例について説明する。なお、第１の実施形態と同一の構成及び動作については、同一の符号を付してその説明を省略する。
本実施形態では、設備ＦＡには、撮像対象として撮像が指示された撮像対象設備ＲＦＡが含まれる。撮像対象設備ＲＦＡとは、電気事業者が撮像してほしい設備ＦＡのことである。
図８は、第２の実施形態に係る情報処理装置１ａの構成の一例を示す図である。
【００５１】
情報処理装置１ａは、撮像画像取得部１６と、設備位置情報取得部１０と、属性情報記憶部１２と、属性情報取得部１１と、撮像者情報取得部１３と、撮像者情報記憶部１５と、評価付与部１４ａと、判定基準記憶部１８と、良否判定部１７と、修繕指示情報出力部１９と、撮像要求情報出力部２０とを備える。
【００５２】
撮像要求情報出力部２０は、撮像対象設備ＲＦＡの撮像を要求する撮像要求情報Ｓを、撮像装置２ａに対して出力する。撮像要求情報Ｓとは、撮像装置２ａが撮像する設備ＦＡの要求が含まれた情報である。具体的には、撮像要求情報出力部２０は、電気事業者が情報処理装置１ａに対して、予め定めた設備ＦＡを撮像対象設備ＲＦＡとして設定する。撮像要求情報出力部２０は、撮像対象設備ＲＦＡの撮像を要求する撮像要求情報Ｓを、撮像装置２ａに対して出力する。撮像要求情報出力部２０は、属性情報ＰＩのうち、貢献の程度が大きい設備ＦＡを、撮像対象設備ＲＦＡとしてもよい。
【００５３】
また、撮像要求情報出力部２０は、撮像対象設備ＲＦＡの属性情報ＲＰＩに含まれる撮像対象設備ＲＦＡの位置を示す位置情報ＲＦＰに基づく範囲に対して、撮像要求情報Ｓを出力してもよい。具体的には、撮像要求情報出力部２０は、撮像対象設備ＲＦＡ近傍にある撮像装置２ａに対して、撮像要求情報Ｓを出力する。撮像要求情報出力部２０は、撮像装置２ａの位置情報に基づいて、撮像要求情報Ｓを送信するか否かを決めてもよい。撮像要求情報出力部２０は、撮像対象設備ＲＦＡ近傍の公衆無線ＬＡＮに接続された撮像装置２ａに対して撮像要求情報Ｓを出力してもよい。
【００５４】
撮像要求情報出力部２０は、撮像対象設備ＲＦＡを撮像する撮像者として選択された指定撮像者に対して、撮像要求情報Ｓを出力してもよい。この場合、指定撮像者は、撮像装置２ａを操作し、指定された撮像対象設備ＲＦＡを撮像する。
【００５５】
撮像装置２ａは、撮像要求情報Ｓを、情報処理装置１ａから取得する。撮像要求情報Ｓを取得した撮像装置２ａは、撮像要求情報Ｓに基づいて、指定された撮像対象設備ＲＦＡを撮像する。
【００５６】
評価付与部１４ａは、設備画像Ｇ毎に評価を可変にして、貢献度評価ＥＶを撮像者に対して付与する。具体的には、評価付与部１４ａは、被撮像設備ＳＦＡが、過去にあまり撮像されていない設備ＦＡの場合、属性情報記憶部１２に記憶される貢献度情報ＥＶを変更して、撮像者に対して付与する。また、評価付与部１４ａは、電気事業者によって予め定められた条件に応じて評価を変えて、貢献度情報ＥＶを撮像者に対して付与する。
【００５７】
［情報処理装置１ａの動作の概要］
次に、図９を参照して、第２の実施形態に係る情報処理装置１ａの動作の概要について説明する。
図９は、情報処理装置１ａの動作の一例を示す流れ図である。
【００５８】
撮像要求情報出力部２０は、撮像要求情報Ｓを撮像装置２ａに対して出力する（ステップＳ２１０）。撮像装置２ａは、撮像要求情報Ｓによって要求された撮像対象設備ＲＦＡを撮像する。以降、情報処理装置１ａは、流れ図Ｓ１と同様の処理を行う。
【００５９】
以上説明したように、情報処理装置１ａは、撮像要求情報出力部２０を備える。これにより、情報処理装置１ａは、撮像装置２ａに対して、撮像する設備ＦＡを指定することができる。また、撮像要求情報出力部２０は、撮像対象設備ＲＦＡ近傍にある撮像装置２ａに対して、撮像要求情報Ｓを出力する。これにより、情報処理装置１ａは、撮像対象設備ＲＦＡ近傍にある撮像装置２ａに対して撮像要求情報Ｓを出力することができ、撮像対象設備ＲＦＡが撮像される確率を高めることができる。
また、情報処理装置１ａは、撮像対象設備ＲＦＡ近傍にある撮像装置２ａに対して撮像要求情報Ｓを出力することができるため、より迅速に撮像対象設備ＲＦＡが撮像された設備画像Ｇを取得することができる。
撮像要求情報出力部２０は、撮像対象設備ＲＦＡを撮像する撮像者として選択された指定撮像者に対して、撮像要求情報Ｓを出力してもよい。これにより、情報処理装置１ａは、複数の人から撮像された設備画像Ｇよりも、同一の人から撮像された設備画像Ｇを取得することができ、一定した品質の設備画像Ｇを得ることができる。
【００６０】
［第３の実施形態］
次に、第３の実施形態に係る情報処理装置１ｂの構成の一例について説明する。なお、第１の実施形態及び第２の実施形態と同一の構成及び動作については、同一の符号を付してその説明を省略する。
本実施形態の撮像者には、付与された貢献度評価に応じた階級Ｃが設定される。具体的には、図１０に示すように、撮像者情報記憶部１５ｂには、撮像者情報ＩＤと、累計評価Ｖと、階級Ｃとが互いに対応付けられて記憶される。
図１０は、階級Ｃの一例を示す図である。
【００６１】
この一例では、撮像者情報記憶部１５ｂには、撮像者情報ＩＤとしての”ＩＤ＿１”と、累計評価Ｖとしての”１０００”と、階級としての”Ａ”とが対応付けられて記憶される。撮像者情報記憶部１５には、撮像者情報ＩＤとしての”ＩＤ＿２”と、累計評価Ｖとしての”４０”と、階級としての”Ｆ”とが対応付けられて記憶される。撮像者情報記憶部１５には、撮像者情報ＩＤとしての”ＩＤ＿３”と、累計評価Ｖとしての”１００” と、階級としての”Ｅ”とが対応付けられて記憶される。撮像者情報記憶部１５には、撮像者情報ＩＤとしての”ＩＤ＿４”と、累計評価Ｖとしての”７００”と、階級としての”Ｂ”とが対応付けられて記憶される。撮像者情報記憶部１５には、撮像者情報ＩＤとしての”ＩＤ＿５”と、累計評価Ｖとしての”４００”と、階級としての”Ｃ”とが対応付けられて記憶される。
【００６２】
撮像要求情報Ｓには階級Ｃに応じた階級毎撮像要求情報ＳＣが含まれ、撮像要求情報出力部２０ｂは、階級Ｃに応じた階級毎撮像要求情報ＳＣを、撮像装置２ａに対して出力する。階級毎撮像要求情報ＳＣとは、階級Ｃに応じた撮像要求情報Ｓよりも難易度が高い撮像対象設備ＲＦＡの撮像を要求する情報である。難易度が高い撮像対象設備ＲＦＡとは、例えば、撮像対象設備ＲＦＡの一部分を撮像する場合や、撮像対象となる撮像対象設備ＲＦＡが見つけづらい位置にある設備である。より具体的には、撮像対象設備ＲＦＡとは、電柱の根本に存在する微小なひび割れである。撮像対象設備ＲＦＡとは、電柱の構成部品の１つが指定されたものである。
撮像装置２ａは、撮像要求情報出力部２０ｂから階級毎撮像要求情報ＳＣを取得する。撮像装置２ａは、階級毎撮像要求情報ＳＣが示す撮像対象設備ＲＦＡを撮像する。
【００６３】
以上説明したように、情報処理装置１ｂは、撮像者情報記憶部１５ｂと、撮像要求情報出力部２０ｂとを備える。撮像要求情報出力部２０ｂは、階級Ｃに応じた階級毎撮像要求情報ＳＣを、撮像装置２ａに対して出力する。これにより、撮像装置２ａを操作する撮像者は、階級Ｃに応じた難易度の撮像対象設備ＲＦＡを撮像することができる。情報処理装置１ｂは、階級Ｃを設けることにより、撮像者が設備ＦＡを撮像する意欲を継続させることができる。
【００６４】
以上、本発明の実施形態を、図面を参照して詳述してきたが、具体的な構成はこの実施形態に限られるものではなく、本発明の趣旨を逸脱しない範囲で適宜変更を加えることができる。
【００６５】
なお、上述の情報処理装置１、情報処理装置１ａ及び情報処理装置１ｂは内部にコンピュータを有している。そして、上述した装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００６６】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００６７】
１，１ａ，１ｂ…情報処理装置、２，２ａ…撮像装置、３…修繕支援装置、１０…設備位置情報取得部、１１…属性情報取得部、１２…属性情報記憶部、１３…撮像者情報取得部、１４，１４ａ…評価付与部、１５，１５ｂ…撮像者情報記憶部、１６…撮像画像取得部、１７…良否判定部、１８…判定基準記憶部、１９…修繕指示情報出力部、２０，２０ｂ…撮像要求情報出力部
【図１】
2018142371.tif 000003
【図２】
2018142371.tif 000004
【図３】
2018142371.tif 000005
【図４】
2018142371.tif 000006
【図５】
2018142371.tif 000007
【図６】
2018142371.tif 000008
【図７】
2018142371.tif 000009
【図８】
2018142371.tif 000010
【図９】
2018142371.tif 000011
【図１０】
2018142371.tif 000012